(57)【要約】【課題】冬季の常時換気で寒い思いをするのを防ぐことができ、しかも、それを常時換気用排気ファンを停止することなく実現することができる屋内常時換気システムを提供する。【解決手段】屋内常時換気用の排気ファン４と、排気ファン４の駆動により屋内の空気を吸い込む排気口３と、外気を屋内に取り込む屋内常時換気用の給気口６とが備えられた屋内常時換気システムにおいて、前記排気口３付近に開口面積可変の短絡用給気口９が備えられている。排気ファン４は、屋内常時換気のための低風量運転と、それよりも風量の多い高風量運転の切換えを行えるもの、例えばレンジフードファンなどからなっているとよい。【選択図】      図１
2006284067.tif 000002
【特許請求の範囲】
【請求項１】
屋内常時換気用の排気ファンと、排気ファンの駆動により屋内の空気を吸い込む排気口と、外気を屋内に取り込む屋内常時換気用の給気口とが備えられた屋内常時換気システムにおいて、前記排気口付近に開口面積可変の短絡用給気口が備えられていることを特徴とする屋内常時換気システム。
【請求項２】
前記排気ファンが、屋内常時換気のための低風量運転と、それよりも風量の多い高風量運転の切換えを行えるものからなっている請求項１に記載の屋内常時換気システム。
【発明の詳細な説明】
【技術分野】
【０００１】
本発明は、屋内常時換気システムに関する。
【背景技術】
【０００２】
例えば、常時換気用の排気ファンとしてレンジフードファンが用いられている屋内常時換気システムでは、冬季に、調理等のためにレンジフードファンを強にして運転すると、常時換気用の給気口を通じて冷たい外気が屋内に勢いよく入り込んできて、居室で寒い思いをすることがある。
【０００３】
また、常時換気用の排気口が、廊下、ホール等に設けられ、排気ファンが屋内常時換気のための固定の低風量運転をするものからなり、常時換気用の給気口が居室に設けられている屋内常時換気システムにおいても、冬季に、常時換気用の給気口を通じて冷たい外気が居室に入り込み、寒い思いをすることがある。そのため、風量固定形常時換気システムでは、常時換気用の給気口が冬季には開度を小さくする制御が行われるようになされたものも提供されているが、それでも、小さな開度の常時換気用給気口を通じて冷たい外気が居室に入り込み、寒い思いをしてしまうことがある。
【０００４】
そこで、そのような場合は、常時換気用の排気ファンを止めてしまうことも考えられるが、前者のレンジフードファンの場合にはそれは成り立たないことであるし、後者の固定の低風量運転による常時換気では、排気ファンを一旦停止させてしまうと、冬であることから運転の再開がなされにくいという問題がある。
【発明の開示】
【発明が解決しようとする課題】
【０００５】
本発明は、上記のような問題点に鑑み、冬季の常時換気で寒い思いをするのを防ぐことができ、しかも、それを常時換気用排気ファンを停止することなく実現することができる屋内常時換気システムを提供することを課題とする。
【課題を解決するための手段】
【０００６】
上記の課題は、屋内常時換気用の排気ファンと、排気ファンの駆動により屋内の空気を吸い込む排気口と、外気を屋内に取り込む屋内常時換気用の給気口とが備えられた屋内常時換気システムにおいて、前記排気口付近に開口面積可変の短絡用給気口が備えられていることを特徴とする屋内常時換気システムによって解決される。
【０００７】
この屋内常時換気システムでは、排気口付近に開口面積可変の短絡用給気口が備えられているので、冬季に、短絡用給気口の開口面積を大きくすることにより、短絡用給気口を通じて給気が行われ、その空気が居室に広がることなく排気口を通じて排気され、常時換気用の給気口を通じた外気の侵入が抑えられて、居室で寒い思いをするのを防ぐことができ、しかも、それを常時換気用排気ファンを停止することなく実現することができる。このことは、排気ファンが屋内常時換気のための低風量運転と、それよりも風量の多い高風量運転の切換えを行えるものからなっているか否かを問わない。また、この切換えを行うことができるようになっているものにおいては、高風量運転状態で短絡用給気口の開口面積を大きくすることにより常時換気用の給気口を通じた外気の侵入を抑える場合であってもよいし、常時換気用の低風量運転状態で短絡用給気口の開口面積を大きくすることにより常時換気用の給気口を通じた外気の侵入を抑える場合であってもよい。
【０００８】
上記の屋内常時換気システムにおいて、前記排気ファンが、屋内常時換気のための低風量運転と、それよりも風量の多い高風量運転の切換えを行えるものからなっているとよい。この場合は、該排気ファンを冬季に高風量運転するときは、短絡用給気口の開口面積を大きくすることにより、短絡用給気口を通じて大きな給気が行われ、その空気が居室に広がることなく排気口を通じて排気され、常時換気用の給気口を通じた外気の侵入が抑えられて、居室で寒い思いをするのを防ぐことができる。
【発明の効果】
【０００９】
本発明は、以上のとおりのものであるから、冬季の屋内常時換気で寒い思いをするのを防ぐことができ、しかも、それを常時換気用排気ファンを停止することなく実現することができる。
【発明を実施するための最良の形態】
【００１０】
次に、本発明の実施最良形態を図面に基づいて説明する。
【００１１】
図１〜図３に示す実施形態の屋内常時換気システムにおいて、１はキッチン、２はレンジフード、３は排気口、４は常時換気用排気ファンとしてのレンジフードファン、そして、５…は居室であり、各居室５…には常時換気用の給気口６…が設けられ、レンジフードファン４は、屋内常時換気のための低風量運転と、それよりも風量の多いレンジフード本来の高風量運転の切換えを行えるようになされていて、常時換気のための低風量運転中、レンジフード２の排気口３を通じて屋内の空気が吸い込まれ、外気が各居室５…の給気口６…から屋内に取り込まれて、屋内の常時換気が行われるようになされている。なお、図１（イ）において、７は屋外である。
【００１２】
そして、レンジフード２の排気口３付近である、同じキッチン１内、具体的には例えば、図１（イ）に示すように、レンジフード２の排気口３の下方の壁８には、開口面積可変の短絡用給気口９が備えられている。
【００１３】
本実施形態では、該短絡用給気口９は、図１（ロ）に示すように、スリット式の給気口からなっていて、各スリット９ａ…を開閉する開閉作動体９ｂが備えられ、該開閉作動体９ｂを、図１（ハ）に示すような位置に位置させることによって短絡用給気口９が開口面積ゼロの閉じられた状態になり、図１（ニ）に示すような位置に位置させることによって短絡用給気口９が開口面積最大の開かれた状態になるようにされている。
【００１４】
なお、開閉作動体９ｂは、人手によって動かされるようになされていてもよいし、温度感知作動式のワックスシリンダーや、あるいは、センサーと制御部と駆動部とを備えた電気機械的な装置によって自動で動くようになされていてもよい。
【００１５】
上記の屋内常時換気システムでは、図２（イ）に示すように、冬季に常時換気をしている状態では、レンジフードファン４は、常時換気用の低風量運転を行い、短絡用給気口９の開口面積はゼロか、あるいは、開口面積は小で、常時換気用給気口６…を通じて外気が静か各居室５…内に取り込まれて、屋内を静かに換気する。なお、短絡用給気口９の開口面積が小である場合は、該短絡用給気口９を通じて外気がキッチン１にも静かに取り込まれる。
【００１６】
そして、図２（ロ）に示すように、冬季に調理等のためにレンジフードファン４を高風量運転状態にした状態では、短絡用給気口９の開口面積を大にすることにより、短絡用給気口９を通じて大きな給気が行われ、その空気が居室５…に広がることなくレンジフード２の排気口３を通じて排気され、各居室５…の常時換気用の給気口６を通じた外気の取込み量を常時換気状態と同じ状態を保つことができ、レンジフードファン４を高風量運転状態にしたからといって、居室５…で寒い思いをすることはない。
【００１７】
また、冬季に常時換気をしているときに、居室５…が常時換気で寒いと感じた時は、短絡用給気口の開口面積を大にすることによって、常時換気用の給気口６…を通じた外気の侵入を抑制して、居室５…で寒い思いをするのを防ぐことができる。しかも、それをレンジフードファン４を停止状態にすることなく実現することができる。
【００１８】
なお、図３（イ）に示すように、冬季以外、例えば夏季や、春、秋等の中間期に常時換気をしている状態では、レンジフードファン４は、常時換気用の低風量運転を行い、短絡用給気口９の開口面積をゼロにしておけば、各居室５…の常時換気用給気口６…を通じて外気が静か室内に取り込まれて屋内を静かに換気する。
【００１９】
また、図３（ロ）に示すように、冬季以外に、調理等のためにレンジフードファン４を高風量運転状態にした状態では、短絡用給気口９の開口面積をゼロにしておけば、各居室５…の常時換気用給気口６…を通じて外気が勢いよく室内に取り込まれて、屋内をすばやく換気することができ、外と同じ快適な室内環境にすることができる。
【００２０】
以上に、本発明の実施形態を示したが、本発明はこれに限られるものではなく、発明思想を逸脱しない範囲で各種の変更が可能である。例えば、上記の実施形態では、レンジフードファンを常時換気用の排気ファンとした場合を示したが、屋内常時換気のための低風量運転と、それよりも風量の多い高風量運転の切換えを行えるような排気ファンからなっていればよく、例えば、浴室換気ファンを常時換気用の排気ファンにしてもよい。
【００２１】
また、本発明では、排気ファンが、廊下やホール等に備えられて、屋内常時換気専用の低風量運転のみ行うものであってもよく、その場合は、各居室の常時換気用給気口が開口面積可変のものであるか否かを問わず、居室が常時換気で寒いと感じた時に、短絡用給気口の開口面積を大にすることによって、常時換気用の給気口を通じた外気の侵入を抑制し、居室で寒い思いをするのを防ぐことができる。しかも、それを常時換気用排気ファンを停止することなく実現することができる。
【００２２】
また、短絡用給気口において、開口面積可変とは、開口面積をゼロにすることなく段階的あるいは無段階で大小に変化させることができる場合のほか、短絡用給気口を開状態と閉状態とに切り換えることができる場合も含むものであることはいうまでもない。
【図面の簡単な説明】
【００２３】
【図１】実施形態の屋内常時換気システムのキッチン部分を示す断面側面図である。
【図２】冬季の換気状態を示すもので、図（イ）はレンジフードファンが常時換気用の低風量運転状態である場合の屋内の換気状況を示す屋内平面図、図（ロ）はレンジフードファンが高風量運転状態である場合の屋内の換気状況を示す屋内平面図である。
【図３】冬季以外の換気状態を示すもので、図（イ）はレンジフードファンが常時換気用の低風量運転状態である場合の屋内の換気状況を示す屋内平面図、図（ロ）はレンジフードファンが高風量運転状態である場合の屋内の換気状況を示す屋内平面図である。
【符号の説明】
【００２４】
３…排気口
４…レンジフードファン（常時換気排気ファン）
６…常時換気用給気口
９…短絡用給気口
【図１】
2006284067.tif 000003
【図２】
2006284067.tif 000004
【図３】
2006284067.tif 000005